【手続補正書】
【提出日】平成15年6月24日(2003.6.24)
【手続補正１】
【補正対象書類名】明細書
【補正対象項目名】全文
【補正方法】変更
【補正の内容】
【発明の名称】振込み方法およびその装置
【特許請求の範囲】
【請求項１】自動取引装置を介して振込人が振込先に現金を振込む振込み装置であって、
振込開始時に自動取引装置の表示画面に、予め振込み先から振込人に対して通知された振込人のＩＤを示すデータである「顧客データ」を入力する顧客データ入力画面を表示する表示手段と、
振込み先に対する振込み情報を入力する入力手段とを備え、
該表示に基づいて上記振出人が上記「顧客データ」の入力が完了した後に、上記振出人が振込み先に対する振込み情報を入力するように案内したことを特徴とする
振込み装置。
【請求項２】上記「顧客データ」に対応した金額情報を振込先のデータベースから入手する金額情報入手手段を備え、
上記「顧客データ」の入力時に、上記金額情報入手手段から入手した金額情報を上記表示画面に表示することで振込人の振込み先に対する振込金額データの入力を省略する
請求項１記載の振込み装置。
【請求項３】上記表示画面は「顧客データ」を入力するか否かを択一的に選択し得るように画面表示される
請求項１記載の振込み装置。
【請求項４】自動取引装置を介して振込人が振込先に現金を振込む振込み方法であって、
振込開始時に自動取引装置の表示画面に、予め振込み先から振込人に対して通知された振出人のＩＤを示すデータである「顧客データ」を入力する顧客データ入力画面を表示し、
該表示に基づいて上記振込人が上記「顧客データ」の入力が完了した後に、上記振込人が振込み先に対する振込み情報を入力する
振込み方法。
【請求項５】上記「顧客データ」に対応した金額情報を振込先のデータベースから入手する金額情報入手手段を備え、
上記「顧客データ」の入力時に、上記金額情報入手手段から入手した金額情報を上記表示画面に表示することで振出人の振込み先に対する振込金額データの入力を省略する
請求項４記載の振込み方法。
【請求項６】上記表示画面は「顧客データ」を入力するか否かを択一的に選択し得るように画面表示される
請求項４記載の振込み方法。
【発明の詳細な説明】
【０００１】
【発明の属する技術分野】
この発明は、振込人が金融機関等に設置されている現金自動預金支払機などの自動取引装置を用いて現金（代金）を振込先へ振込むような振込み方法およびその装置に関する。
【０００２】
【従来の技術】
従来、上述例の振込み方法としては自動取引装置（ＡＴＭ等参照）を利用して現金のみで振込む場合と、キャッシュカードを用いて振込む場合と、これら現金のみまたはキャッシュカードでの振込み時に振込み帳や振込みカードを併用する場合とがある。
【０００３】
上述の現金のみで振込む場合、またはキャッシュカードを用いて振込む場合の振込み方法は、概ね金融機関の自動取引装置における表示画面に表示される案内に従って、振込人が振込先金融機関および支店名を選択し、次に振込先の口座番号を指定入力し、次に振込依頼人名をタッチキーにより押下入力し、次に振込依頼人の電話番号をタッチキーにより押下入力し、次に振込金額を押下入力し、さらに金額の確認処理と振込内容の確認処理とを実行する方法である。
【０００４】
また上述の現金のみまたはキャッシュカードでの振込み時に振込み帳や振込カードを併用する場合の振込み方法は、上述の振込先金融機関の選択から振込依頼人の電話番号入力までの処理を省略して振込み手順の簡素化を図るものである。
【０００５】
一方、振込み（入金）処理の終了後において振込先では振込みの確認作業としての所謂消込み処理を実行するが、この消込み処理は振込人を特定する処理が中心であり、従来においては銀行などの金融機関等の振込みデータに基づいて、振込人の氏名を注視しながら処理が実行されていた。
【０００６】
【発明が解決しようとする課題】
しかし、このような従来の振込み方法においては、振込人（顧客）が振込金額をタッチキーにより押下入力する必要があるので、入力ミスが発生する懸念があるうえ、振込人の入力操作が煩雑となる問題点があり、振込先においては振込人を特定して消込み処理を実行する作業が煩雑となる問題点があった。
【０００７】
この発明は、振込み先に対して「顧客データ」と振込情報との通知が可能で、振込み先における消込み作業の容易化を図ることができる振込み方法およびその装置の提供を目的とする。
【０００８】
この発明はまた、振込人の入力時に振込金額データの入力が省略でき、振込人による振込操作の簡略化が図れると共に、振込金額データの入力ミスを解消することができる振込み方法およびその装置の提供を目的とする。
【０００９】
【課題を解決するための手段】
この発明による振込み装置は、自動取引装置を介して振込人が振込先に現金を振込む振込み装置であって、振込開始時に自動取引装置の表示画面に、予め振込み先から振込人に対して通知された振込人のＩＤを示すデータである「顧客データ」を入力する顧客データ入力画面を表示する表示手段と、振込み先に対する振込み情報を入力する入力手段とを備え、該表示に基づいて上記振出人が上記「顧客データ」の入力が完了した後に、上記振出人が振込み先に対する振込み情報を入力するように案内したことを特徴とするものである。
【００１０】
「顧客データ」とは振込依頼人に予め振込先から割当てられている顧客のＩＤを示すデータで、振込先のデータベースに対してアクセスが可能な情報であって、振込先のデータベースには「顧客データ」に対応した金額情報が記憶されている。また「顧客データ」とは顧客コード等の用語を用いて表現することもできる。
【００１１】
上記構成により、表示手段は、振込開始時に自動取引装置はその表示画面に顧客データ入力画面を表示し、入力手段は、この表示に基づいて振込人が「顧客データ」の入力を行なった後に、振込み先に対する振込み情報を入力する。
このため、振込み先には「顧客データ」と振込情報とか通知されるので、振込み先における消込み作業が容易となる。
【００１２】
この発明の一実施態様においては、上記「顧客データ」に対応した金額情報を振込先のデータベースから入手する金額情報入手手段を備え、上記「顧客データ」の入力時に、上記金額情報入手手段から入手した金額情報を上記表示画面に表示することで振込人の振込み先に対する振込金額データの入力を省略するものである。
上記構成により、振込金額データの入力が省略できるので、振込人による振込操作の簡略化が図れると共に、振込金額データの入力ミスが解消される。
【００１３】
この発明の一実施態様においては、上記表示画面は「顧客データ」を入力するか否かを択一的に選択し得るように画面表示されるものである。
上記構成により振込人は「顧客データ」を入力するか否かを選択することができるので、振込み操作の自由度が向上する。
【００１４】
この発明による振込み方法は、自動取引装置を介して振込人が振込先に現金を振込む振込み方法であって、振込開始時に自動取引装置の表示画面に、予め振込み先から振込人に対して通知された振出人のＩＤを示すデータである「顧客データ」を入力する顧客データ入力画面を表示し、該表示に基づいて上記振込人が上記「顧客データ」の入力が完了した後に、上記振込人が振込み先に対する振込み情報を入力するものである。
【００１５】
「顧客データ」とは振込依頼人に予め振込先から割当てられている顧客のＩＤを示すデータで、振込先のデータベースに対してアクセスが可能な情報であって、振込先のデータベースには「顧客データ」に対応した金額情報が記憶されている。また「顧客データ」とは顧客コード等の用語を用いて表現することもできる。
【００１６】
上記構成により、振込開始時に自動取引装置はその表示画面に顧客データ入力画面を表示し、この表示に基づいて振込人が「顧客データ」の入力を行なった後に、振込み先に対する振込み情報を入力する。
このため、振込み先には「顧客データ」と振込情報とか通知されるので、振込み先における消込み作業が容易となる。
【００１７】
この発明の一実施態様においては、上記「顧客データ」に対応した金額情報を振込先のデータベースから入手する金額情報入手手段を備え、上記「顧客データ」の入力時に、上記金額情報入手手段から入手した金額情報を上記表示画面に表示することで振出人の振込み先に対する振込金額データの入力を省略するものである。
上記構成により、振込金額データの入力が省略できるので、振込人による振込操作の簡略化が図れると共に、振込金額データの入力ミスが解消される。
【００１８】
この発明の一実施態様においては、上記表示画面は「顧客データ」を入力するか否かを択一的に選択し得るように画面表示されるものである。
上記構成により振込人は「顧客データ」を入力するか否かを選択することができるので、振込み操作の自由度が向上する。
【００１９】
【実施例】
この発明の一実施例を以下図面に基づいて詳述する。
図面は振込み方法およびその装置を示すが、まず図１を参照して振込み方法に用いられる自動取引装置の構成について説明する。
【００２０】
図１は銀行などの金融機関等に設置された自動取引装置１１を示し、装置本体１２のＬ字状の接客部１３にはその縦面に通帳出入口１４とカード出入口１５とを並設する一方、水平面奥側には硬貨出入口１６と紙幣出入口１７とを並設して、これら硬貨出入口１６および紙幣出入口１７をシャッタ１８，１９で開閉可能に覆っている。
【００２１】
また上記接客部１３の水平面手前側には振込み手順等を案内表示する表示手段としての表示部２０を設ける一方、カード出入口１５の上方位置にはスピーカが内蔵された電子音声による案内部２１を配置している。
【００２２】
図２は上記自動取引装置１１および振込先の装置２２を示す系統図であって、振込先においては自動取引装置１１との間で交信が可能なホストコンピュータ２３を設け、このホストコンピュータ２３はデータベースを記憶した記憶部２４を備えている。
上記データベースには「顧客データ」に対応した少なくとも金額情報が読出し可能に書込まれている。
【００２３】
一方、自動取引装置１１側にあっては、制御手段としてのＣＰＵ３０は表示入力部２５からの入力信号に基づいて、ＲＯＭ２６に格納されたプログラムに従って、通信部２７、表示部２０、カード処理部２８、通帳処理部２９、紙幣処理部３１、硬貨処理部３２、案内部２１、印字部３３を駆動制御し、またＲＡＭ３４は必要なデータを記憶する。
【００２４】
ここで、入力手段としての上記表示入力部２５は表示部２０の表示画面２０Ａ（図６〜図１９参照）に構成されるタッチキーにより形成されるが、この構成に代えてテンキーその他のファンクションキーにより表示入力部２５を構成してもよい。
上記通信部２７は「顧客データ」や振込み情報などの必要事項を振込先のホストコンピュータ２３との間で交信する送信部、受信部とから構成されている。
【００２５】
上記カード処理部２８は、図１のカード出入口１５から挿入されるキャッシュカードまたは振込カードの搬入、搬出およびカードからのデータ読出し等を行なう処理部である。
【００２６】
上記通帳処理部２９は、図１の通帳出入口１４から挿入される通帳の搬入、搬出および通帳に対するデータの読出し、書込みを行なう処理部である。
上記紙幣処理部３１はシャッタ１９の開時に図１の紙幣出入口１７から挿入される入金紙幣の真偽判別、計数、取込み回収並びに出金紙幣または釣銭紙幣の放出を行なう処理部である。
【００２７】
上記硬貨処理部３２はシャッタ１８の開時に図１の硬貨出入口１６から投入される入金硬貨の真偽判別、計数、取込み、回収並びに出金紙幣または釣銭紙幣の放出を行なう処理部である。
【００２８】
上記案内部２１は振込みその他の取引き案内の手順を電子音声にて案内するものである。
上記印字部３３は顧客の通帳、顧客に放出する明細票いわゆるレシート、装置側の取引き控えとしてのジャーナルに対して必要事項を可視印字するものである。
【００２９】
次に上記自動取引装置１１を介して現金を振込む振込み方法を、図３に示すメインルーチンおよび図４、図５に示すサブルーチンを参照して以下に詳述する。
自動取引装置１１に顧客が接近すると、この近接した顧客を赤外線センサ等の検知手段（図示せず）で検出し、ＣＰＵ３０は該検知手段の出力を受けて第１ステップＳ１で、表示部２０を駆動して、その表示画面２０Ａに図６に示す表示案内およびタッチキーを可視表示する（取引選択画面）。
【００３０】
自動取引装置１１は引出し（出金）、通帳記入、振込、定期預金、預入れ（入金）、残高照会、振替などの各種の取引処理が可能であるが、ここでは図６の振込み用のタッチキーＫ１がタッチ操作された場合の作用についてのみ説明する。
図６のタッチキーＫ１が操作されると、第２ステップＳ２に移行し、この第２ステップＳ２でＣＰＵ３０は表示部２０に図７の画面（振込方法選択）を表示する。
【００３１】
図７のキャッシュカードによる振込み用のタッチキーＫ２が操作されると、第３ステップＳ３に移行し、現金による振込み用のタッチキーＫ３が操作されると、別の第２１ステップＳ２１に移行する。何れのキーＫ２，Ｋ３が操作されたのかはＣＰＵ３０で判定される。
【００３２】
第３ステップＳ３で、ＣＰＵ３０は表示部２０に図８の画面（キャッシュカード受付け画面）を表示し、振込人にキャッシュカードの挿入を促す。図１のカード出入口１５にキャッシュカードが挿入されると、その出入口センサ（図示せず）の出力を受けて第４ステップＳ４に移行する。
【００３３】
第４ステップＳ４で、ＣＰＵ３０は表示部２０に図９の画面（暗証番号受付け画面）を表示し、振込人に暗証番号入力用のテンキータイプのタッチキーＫ４による暗証番号入力を促す。タッチキーＫ４により暗証番号が入力されると第５ステップＳ５に移行する。
【００３４】
この第５ステップＳ５で、ＣＰＵ３０は表示部２０に図１０の画面（「顧客データ」入力選択画面）を表示する。図１０に示す画面は「顧客データ」を入力するか否かを択一的に選択入力し得る表示画面であって、この実施例ではキーボードタイプのタッチキーＫ５と、「顧客データ」入力が選択された場合の確認用のタッチキーＫ６と、「顧客データ」入力を行なわない場合（「顧客データ」がない場合を含む）の非入力用のタッチキーＫ７と、その他のファンクションキーとが表示される。
【００３５】
上述の「顧客データ」は予め振込み先から振込人に対して通知されており、振込人は「顧客データ」を入力するか否かを択一的に選択することができる。
「顧客データ」を入力する場合にはタッチキーＫ５をタッチ操作して、個別情報としての「顧客データ」たとえば「８４３７６０９」を入力した後に、確認用のタッチキーＫ６を押す。なお、このデータ「８４３７６０９」は一例であって、この数値および桁数に限定されるものではないことは当然である。
【００３６】
「顧客データ」を入力しない場合または「顧客データ」がない場合には非入力用のタッチキーＫ７を押す。ＣＰＵ３０はタッチキーＫ６またはタッチキーＫ７のＯＮ入力により次の第６ステップＳ６に移行する。
【００３７】
この第６ステップＳ６で、ＣＰＵ３０は表示部２０に図１１の画面（振込先指定方法選択画面）を表示し、振込人に振込カード用のタッチキーＫ８または振込先入力用のタッチキーＫ９の何れかの選択を促す。
【００３８】
上記何れかのタッチＫ８またはＫ９がタッチ操作されると、次の第７ステップＳ７に移行し、この第７ステップＳ７で、ＣＰＵ３０はタッチキーＫ８，Ｋ９の何れかがタッチ操作されたのかを判定し、振込先入力用のタッチキーＫ９が操作された場合には第８ステップＳ８に移行する一方、振込カード用のタッチキーＫ８が操作された場合には別の第９ステップＳ９に移行する。
【００３９】
上述の第８ステップＳ８では、口座振込情報入力が実行される。この第８ステップＳ８での処理は図４にサブーチンで示す通りである。
すなわち、サブルーチンの第１ステップＵ１で、ＣＰＵ３０は表示部２０に振込金融機関および支店名を選択すべき旨の表示を実行し、振込人が振込先金融機関（例えば振込先銀行名）および支店名を入力すると、次の第２ステップＵ２に移行する。
【００４０】
この第２ステップＵ２で、ＣＰＵ３０は表示部２０に振込先口座番号を指定入力すべき旨の表示を実行し、振込人が振込先口座番号を入力すると、次の第３ステップＵ３に移行する。
【００４１】
この第３ステップＵ３で、ＣＰＵ３０は表示部２０に振込依頼人を選択すべき旨の表示を実行し、振込人が振込依頼人の選択入力を行なうと、次の第４ステップＵ４に移行する。
【００４２】
この第４ステップＵ４で、ＣＰＵ３０は選択入力に基づいて振込依頼人が口座名義か否かを判定し、ＹＥＳ判定時には第６ステップＵ６にスキップする一方、ＮＯ判定時には第５ステップＵ５に移行する。
【００４３】
この第５ステップＵ５で、ＣＰＵ３０は表示部２０にキーボードタイプのタッチキーＫ５（図１０参照）を表示し、振込依頼人は当該振込依頼人名をタッチキーＫ５の選択により押下入力する。
【００４４】
次に第６ステップＵ６で、ＣＰＵ３０はキャッシュカードが自行カード（図１の自動取引装置１１が設置された金融機関のカード）か否かを判定し、ＮＯ判定時（キャッシュカードが他行カードの場合）には第７ステップＵ７に移行する一方、ＹＥＳ判定時にはサブルーチンでの処理を終了して図３のメインルーチンに戻る。
【００４５】
上述の第７ステップＵ７で、ＣＰＵ３０は表示部２０に振込依頼人の電話番号を押下入力すべき旨の表示とテンキーとを表示し、振込依頼人が当該振込依頼人の電話番号を入力すると、サブルーチンでの処理を終了して図３のメインルーチンに戻る。
【００４６】
ところで、図３のメインルーチンの第７ステップＳ７でＹＥＳ判定されて第９ステップＳ９に移行した場合には、ＣＰＵ３０は表示部２０に図１２の画面（振込カード受付け画面）を表示し、振込人に振込カードの挿入を促す。振込人が振込カードをカード出入口１５に挿入すると、ＣＰＵ３０は挿入された振込カードからデータを読取った後に、次の第１０ステップＳ１０に移行する。
【００４７】
この第１０ステップＳ１０で、ＣＰＵ３０は表示部２０に図１３の画面（振込カード返却画面）を表示し、振込人に振込カードの抜取りを促すと共に、振込カードを抜取り可能位置へ搬送する。振込人が振込カードを抜取ると、次の第１１ステップＳ１１に移行する。
【００４８】
つまり、キャッシュカードによる振込み時に振込カードを併用すると、振込先金融機関およびその支店名の選択入力や振込先口座番号の指定入力操作を省略することができる。
【００４９】
次に第１１ステップＳ１１で、ＣＰＵ３０は「顧客データ」入力の有無を判定する。つまり先の第５ステップＳ５で予め「顧客データ」たとえば「８４３７６０９」が入力され、タッチキーＫ６が押下された場合にはＹＥＳ判定され、「顧客データ」が入力されず、タッチキーＫ７が押下された場合にはＮＯ判定される。
而して、第１１ステップＳ１１でＹＥＳ判定されると次の第１２ステップＳ１２に移行し、ＮＯ判定されると別の第１４ステップＳ１４に移行する。
【００５０】
上述の第１２ステップＳ１２で、ＣＰＵ３０は通信部２７を駆動して、振込先のホストコンピュータ２３と交信し、「顧客データ」「８４３７６０９」に相当する照会要求信号を送信すると共に、ホストコンピュータ２３からの「顧客データ」「８４３７６０９」に相当する照会応答信号を受信する。ホストコンピュータ２３は記憶部２４から該当する金額情報を取出して照会応答信号に付加することができる。このホストコンピュータ２３との交信中には、ＣＰＵ３０は表示部２０に図１４の画面（交信中画面）を表示する。
【００５１】
次に第１３ステップＳ１３で、ＣＰＵ３０は照会応答信号中に金額データがあるか否かを判定し、ＹＥＳ判定時には第１５ステップＳ１５にスキップする一方、ＮＯ判定時には第１４ステップＳ１４に移行する。
【００５２】
この第１４ステップＳ１４で、ＣＰＵ３０は表示部２０に図１５の画面（振込金額入力画面）を表示し、振込人に振込金額を押下入力するように促す。振込人が表示画面２０Ａに表示されたテンキーＫ１０を用いて振込金額を入力し、最後に「円」入力用のタッチキーＫ１１を押下すると、次の第１５ステップＳ１５に移行する。
【００５３】
この第１５ステップＳ１５で、ＣＰＵ３０は表示部２０に図１６の画面（金額確認画面）を表示し、振込人に振込金額の確認入力をするよう促す。振込人が振込金額確認後に確認用のタッチキーＫ１２をタッチ操作すると、次の第１６ステップＳ１６に移行する。
【００５４】
この第１６ステップＳ１６で、ＣＰＵ３０は通信部２７を駆動して、振込先のホストコンピュータ２３と交信し、照会要求信号を送信すると共に、ホストコンピュータ２３からの照会応答信号を受信する。このホストコンピュータ２３との交信中には、ＣＰＵ３０は表示部２０に図１４の画面（交信中画面）を表示する。
【００５５】
次に第１７ステップＳ１７で、ＣＰＵ３０は表示部２０に図１７の画面（振込内容確認画面）を表示し、振込人に振込内容を確認するように促す。振込人が表示画面２０Ａに表示された振込内容の確認後に確認用のタッチキーＫ１３をタッチ操作すると、次の第１８ステップＳ１８に移行する。
【００５６】
次に第１８ステップＳ１８で、ＣＰＵ３０は通信部２７を駆動して、振込先のホストコンピュータ２３と交信し、必要事項の取引要求信号を送信すると共に、ホストコンピュータ２３からの取引応答信号を受信する。このホストコンピュータ２３との交信中には、ＣＰＵ３０は表示部２０に図１４の画面（交信中画面）を表示する。
【００５７】
次に第１９ステップＳ１９で、ＣＰＵ３０は印字部３３を駆動して、明細票いわゆるレシートと、ジャーナルとに必要事項を可視印字する。
次に第２０ステップＳ２０で、ＣＰＵ３０はカード処理部２８を駆動してキャッシュカードをカード出入口１５から返却する（媒体返却）すると共に、印字されたレシートを放出する。振込人がキャッシュカードおよびレシートを抜取ると、キャッシュカードによる一連の振込み処理（取引き）を終了する。
【００５８】
ところで、前述の第２ステップＳ２で現金による振込形態が選択されて第２１ステップＳ２１に移行した場合、ＣＰＵ３０は表示部２０に図１０の画面（「顧客データ」入力選択画面）を表示する。図１０に示す画面は「顧客データ」を入力するか否かを択一的に選択入力し得る表示画面であって、キーボードタイプのタッチキーＫ５と、「顧客データ」入力が選択された場合の確認用のタッチキーＫ６と、「顧客データ」入力を行なわない場合の非入力用のタッチキーＫ７と、その他のファンクションキーとが表示される。
【００５９】
「顧客データ」を入力する場合にはタッチキーＫ５をタッチ操作して、個別情報としての「顧客データ」たとえば「８４３７６０９」を入力した後に、確認用のタッチキーＫ６を押す。
【００６０】
「顧客データ」を入力しない場合または「顧客データ」がない場合には非入力用のタッチキーＫ７を押す。ＣＰＵ３０はタッチキーＫ６またはタッチキーＫ７のＯＮ入力により次の第２２ステップＳ２２に移行する。
【００６１】
この第２２ステップＳ２２で、ＣＰＵ３０は表示部２０に図１１の画面（振込先指定方法選択画面）を表示し、振込人に振込カード用のタッチキーＫ８または振込先入力用のタッチキーＫ９の何れかの選択を促す。
【００６２】
上記何れかのタッチキーＫ８またはＫ９がタッチ操作されると、次の第２３ステップＳ２３に移行し、この第２３ステップＳ２３で、ＣＰＵ３０はタッチキーＫ８，Ｋ９の何れがタッチ操作されたのかを判定し、振込先入力用のタッチキーのＫ９が操作された場合には第２４ステップＳ２４に移行する一方、振込カード用のタッチキーＫ８が操作された場合には別の第２５ステップＳ２５に移行する。
【００６３】
上述の第２４ステップＳ２４では、現金振込情報入力が実行される。この第２４ステップＳ２４での処理は図５にサブルーチンで示す通りである。
すなわち、サブルーチンの第１ステップＱ１で、ＣＰＵ３０は表示部２０に振込金融機関および支店名を選択すべき旨の表示を実行し、振込人が振込先金融機関および支店名を入力すると、次の第２ステップＱ２に移行する。
【００６４】
この第２ステップＱ２で、ＣＰＵ３０は表示部２０に振込先口座番号を指定入力すべき旨の表示を実行し、振込人が振込先口座番号を入力すると、次の第３ステップＱ３に移行する。
【００６５】
次に第３ステップＱ３で、ＣＰＵ３０は表示部２０にキーボードタイプのタッチキーＫ５（図１０参照）を表示し、振込依頼人は当該振込依頼人名をタッチキーＫ５の選択により押下入力する。
【００６６】
次に第４ステップＱ４と、ＣＰＵ３０は表示部２０に振込依頼人の電話番号を押下入力すべき旨の表示とテンキーとを表示し、振込依頼人が当該振込依頼人の電話番号を入力すると、サブルーチンでの処理を終了して、図３のメインルーチンに戻る。
【００６７】
図３のメインルーチンの第２３ステップＳ２３でＹＥＳ判定されて第２５ステップＳ２５に移行した場合、ＣＰＵ３０は表示部２０に図１２の図面（振込カード受付け画面）を表示し、振込人に振込カードの挿入を促す。振込人が振込カードをカード出入口１５に挿入すると、ＣＰＵ３０は挿入された振込カードからデータを読取った後に、次の第２６ステップＳ２６に移行する。
【００６８】
この第２６ステップＳ２６で、ＣＰＵ３０は表示部２０に図１３の画面（振込カード返却画面）を表示し、振込人に振込カードの抜取りを促すと共に、振込カードを抜取り可能位置へ搬送する。振込人が振込カードを抜取ると、次の第２７ステップＳ２７に移行する。
つまり、現金による振込み時に振込カードを併用すると、振込先金融機関およびその支店名の選択入力や振込先口座番号の指定入力操作を省略することができる。
【００６９】
次に第２７ステップＳ２７で、ＣＰＵ３０は「顧客データ」入力の有無を判定する。つまり先の第２１ステップＳ２１で、予め「顧客データ」たとえば「８４３７６０９」が入力され、タッチキーＫ６が押下された場合にはＹＥＳ判定され、「顧客データ」が入力されず、タッチキーＫ７が押下された場合にはＮＯ判定される。
【００７０】
而して、第２７ステップＳ２７でＹＥＳ判定されると次の第２８ステップＳ２８に移行し、ＮＯ判定されると別の第３０ステップＳ３０に移行する。
上述の第２８ステップＳ２８で、ＣＰＵ３０は通信部２７を駆動して、振込先のホストコンピュータ２３と交信し、「顧客データ」「８４３７６０９」に相当する照会要求信号を送信すると共に、ホストコンピュータ２３からの「顧客データ」「８４３７６０９」に相当する照会応答信号を受信する。ホストコンピュータ２３は記憶部２４から該当する金額情報を取出して照会応答信号に付加することができる。このホストコンピュータ２３との交信中には、ＣＰＵ３０は表示部２０に図１４の画面（交信中画面）を表示する。
【００７１】
次に第２９ステップＳ２９で、ＣＰＵ３０は照会応答信号中に金額データがあるか否かを判定し、ＹＥＳ判定時には第３１ステップＳ３１にスキップする一方、ＮＯ判定時には第３０ステップＳ３０に移行する。
【００７２】
この第３０ステップＳ３０で、ＣＰＵ３０は表示部２０に図１５の画面（振込金額入力画面）を表示し、振込人に振込金額を押下入力するように促す。振込人が表示画面２０Ａに表示されたテンキーＫ１０を用いて振込金額を入力し、最後に「円」入力用のタッチキーＫ１１を押下すると、次の第３１ステップＳ３１２移行する。
【００７３】
この第３１ステップＳ３１で、ＣＰＵ３０は表示部２０に図１６の画面（金額確認画面）を表示し、振込人に振込金額の確認入力をするように促す。振込人が振込金額確認後に確認用のタッチキーＫ１２をタッチ操作すると、次の第３２ステップＳ３２に移行する。
【００７４】
この第３２ステップＳ３２で、ＣＰＵ３０は通信部２７を駆動して、振込先のホストコンピュータ２３と交信し、照会要求信号を送信すると共に、ホストコンピュータ２３からの照会応答信号を受信する。このホストコンピュータ２３との交信中には、ＣＰＵ３０は表示部２０に図１４の画面（交信中画面）を表示する。
【００７５】
次に第３３ステップＳ３３で、ＣＰＵ３０は表示部２０に図１７の画面（振込内容確認画面）を表示し、振込人に振込内容を確認するように促す。振込人が表示画面２０Ａに表示された振込内容の確認後に確認用のタッチキーＫ１３をタッチ操作すると、次の第３４ステップＳ３４に移行する。
【００７６】
この第３４ステップＳ３４で、ＣＰＵ３０は表示部２０にまず図１８の画面（現金受付け画面）を表示し、現金受付け処理を実行する。つまり、このステップＳ３４で、ＣＰＵ３０は図１のシャッタ１８，１９を開放する。振込人がシャッタ１８，１９により開成された硬貨出入口１６、紙幣出入口１７のうちの少なくとも何れか一方から現金を挿入し、かつ読取開始用のタッチキーＫ１４をタッチ操作すると、ＣＰＵ３０は硬貨処理部３２、紙幣処理部３１を駆動して、受付けた現金の真偽判別、計数を行なうと共に、釣銭が必要な場合には釣銭の放出準備を実行する。
【００７７】
次に、ＣＰＵ３０は表示部２０に図１９の画面（金額確認画面）を表示し、振込人に金額の確認を促す。振込人が図１９の表示画面２０Ａを目視して金額の確認を行なった後に、確認用のタッチキーＫ１５をタッチ操作すると、次の第３５ステップＳ３５に移行する。
【００７８】
この第３５ステップＳ３５で、ＣＰＵ３０は通信部２７を駆動して、振込先のホストコンピュータ２３と交信し、必要事項の取引要求信号を送信すると共に、ホストコンピュータ２３からの取引応答信号を受信する。このホストコンピュータ２３との交信中には、ＣＰＵ３０は表示部２０に図１４の画面（交信中画面）を表示する。
【００７９】
次の第３６ステップＳ３６で、ＣＰＵ３０は硬貨処理部３２、紙幣処理部３１を駆動して現金を収納すると共に、印字部３３を駆動して、明細票いわゆるレシートと、ジャーナルとに必要事項を可視印字する。
【００８０】
次に第３７ステップＳ３７で、ＣＰＵ３０は釣銭必要時に対応して硬貨処理部３２、紙幣処理部３１を駆動して釣銭を出入口１６，１７に返却すると共に、印字されたレシートを放出する。振込人が釣銭、レシートを抜取ると、現金による一連の振込み処理（取引き）を終了する。
【００８１】
以上要するに上記実施例の振込み装置は、自動取引装置１１を介して現金を振込む振込み装置であって、予め振込み先から振込人に対して「顧客データ」が通知され、表示手段としての表示部２０は振込開始時に自動取引装置１１の表示画面２０Ａに顧客データ入力画面（図１０の「顧客データ」入力選択画面参照）を表示し（各ステップＳ５，Ｓ２１参照）、入力手段としての表示入力部２５は該表示に基づいて「顧客データ」の入力が完了した後に、振込み先に対する振込み情報を入力するものである。
【００８２】
この構成により、振込開始時に自動取引装置１１はその表示画面２０Ａに顧客データ入力画面（図１０参照）を表示し（ステップＳ５，Ｓ２１参照）、この表示に基づいて振込人が「顧客データ」の入力を行なった後に、振込み先に対する振込み情報を入力する。
このため、振込み先には「顧客データ」と振込情報とか通知されるので、振込み先における消込み作業が容易となる。
【００８３】
しかも、上記「顧客データ」の入力時には振込み先に対する振込金額データの入力を省略（各ステップＳ１３，Ｓ２９のＹＥＳ判定参照）するものである。
この結果、振込金額データの入力が省略できるので、振込人による振込操作の簡略化が図れると共に、振込金額データの入力ミスが解消される。
【００８４】
さらに、上記表示画面２０Ａ（図１０参照）は「顧客データ」を入力するか否かを択一的に選択し得るように画面表示されるものであるから、振込人は「顧客データ」を入力するか否かを選択することができ、振込み操作の自由度が向上する。
【００８５】
また上記実施例の振込み方法は、自動取引装置１１を介して現金を振込む振込み方法であって、予め振込み先から振込人に対して「顧客データ」が通知され、振込開始時に自動取引装置１１の表示画面２０Ａに顧客データ入力画面（図１０の「顧客データ」入力選択画面参照）を表示し（各ステップＳ５，Ｓ２１参照）、該表示に基づいて「顧客データ」の入力が完了した後に、振込み先に対する振込み情報を入力するものである。
【００８６】
この構成により、振込開始時に自動取引装置１１はその表示画面２０Ａに顧客データ入力画面（図１０参照）を表示し（ステップＳ５，Ｓ２１参照）、この表示に基づいて振込人が「顧客データ」の入力を行なった後に、振込み先に対する振込み情報を入力する。
このため、振込み先には「顧客データ」と振込情報とか通知されるので、振込み先における消込み作業が容易となる。
【００８７】
しかも、上記「顧客データ」の入力時には振込み先に対する振込金額データの入力を省略（各ステップＳ１３，Ｓ２９のＹＥＳ判定参照）するものである。
この結果、振込金額データの入力が省略できるので、振込人による振込操作の簡略化が図れると共に、振込金額データの入力ミスが解消される。
【００８８】
さらに、上記表示画面２０Ａ（図１０参照）は「顧客データ」を入力するか否かを択一的に選択し得るように画面表示されるものであるから、振込人は「顧客データ」を入力するか否かを選択することができ、振込み操作の自由度が向上する。
【００８９】
【発明の効果】
この発明によれば、振込み先に対して「顧客データ」と振込情報とが通知されるので、振込み先における消込み作業の容易化を図ることができる硬貨がある。
【図面の簡単な説明】
【図１】本発明の振込み方法に用いる自動取引装置の斜視図。
【図２】制御回路ブロック図。
【図３】本発明の振込み方法を示すフローチャート。
【図４】口座振込情報入力を示すサブルーチン。
【図５】現金振込情報入力を示すサブルーチン。
【図６】取引選択画面の説明図。
【図７】振込方法選択画面の説明図。
【図８】キャッシュカード受付け画面の説明図。
【図９】暗証番号受付け画面の説明図。
【図１０】「顧客データ」入力選択画面の説明図。
【図１１】振込先指定方法選択画面の説明図。
【図１２】振込カード受付け画面の説明図。
【図１３】振込カード返却画面の説明図。
【図１４】交信中画面の説明図。
【図１５】振込金額入力画面の説明図。
【図１６】金額確認画面の説明図。
【図１７】振込内容確認画面の説明図。
【図１８】現金受付け画面の説明図。
【図１９】金額確認画面の説明図。
【符号の説明】
１１…自動取引装置
２０…表示部（表示手段）
２０Ａ…表示画面
２５…表示入力部（入力手段）